(57)【要約】【課題】    机の上、棚の上、携帯時のカバンの中などでかさばらず、使用時はペン等の選択出し入れが容易で、簡単に素早く蓋を開閉することが可能であり、携帯時はペン等を外力から守ることが求められる。しかし、ペン等の選択出し入れ性能を重視して挿入口を大きくすれば蓋が邪魔になったり、ペン等が広がって蓋をするのが難しくなったりする。【解決手段】  相対回動可能な円筒棒状の収容部（２）と筒状の蓋部（６）それぞれに最適な挿入口（１）及び（５）を設ける。【選択図】         図１
2017209460.tif 000002
【特許請求の範囲】
【請求項１】
長さ方向におよそ沿う第１挿入口を備える円筒棒状の収容部と、
前記円筒棒状の収容部の外周に対して内周が嵌合して相対回動可能であり、長さ方向におよそ沿う第２挿入口を備える筒状の蓋部と、
を具備し、
前記第１挿入口及び前記第２挿入口が重なり被収容物を前記収容部内に挿入可能な第１状態と、
前記第１状態から前記収容部中心に前記蓋部を相対回動させ前記蓋部によって前記第１挿入口に蓋をした第２状態と、
を有し、
前記第１状態から前記第２状態に移行する途中で前記第１挿入口の開口縁及び前記第２挿入口の開口縁の対向するおよそ全長においてなす角を有することを特徴とする、携帯式収納具。
【請求項２】
長さ方向におよそ沿う第１挿入口を備える円筒棒状の収容部と、
前記円筒棒状の収容部の外周に対して内周が嵌合して相対回動可能であり、長さ方向におよそ沿う第２挿入口を備える筒状の蓋部と、
を具備し、
前記第１挿入口及び前記第２挿入口が重なり被収容物を前記収容部内に挿入可能な第１状態と、
前記第１状態から前記収容部中心に前記蓋部を相対回動させ前記蓋部によって前記第１挿入口に蓋をした第２状態と、
を有し、
前記蓋部の弾性による付勢力によって前記蓋部の内周が前記収容部の外周を挟持する、
前記蓋部の内周及び前記収容部の外周の嵌合部はテーパー状である、
の少なくとも一方を特徴とする、携帯式収納具。
【発明の詳細な説明】
【技術分野】
【０００１】
本発明は、携帯式収納具に関する。
【背景技術】
【０００２】
携帯式収納具においては、特許文献１の実施例のようなペン等の被収容物を円筒棒状収容部の一端部の挿入口から出し入れ可能なペン立てに対して、一端部が閉じた円筒棒状で内周に収容部を隙間嵌合可能な蓋でペン等を覆う製品が知られている。
【０００３】
また、携帯式収納具においては、布素材を縫製して成る円筒棒状の収容部の長さ方向に沿うファスナーによって挿入口を開閉可能な製品、鉄板や樹脂素材を成形して箱状でヒンジによって二枚貝のように開閉可能な製品、布素材を長方形に裁断して片面にペン等のホルダーを複数設け布全体をロール状に巻いて収容する製品、がよく知られている。
【先行技術文献】
【特許文献】
【０００４】
【特許文献１】実登３０２５９８７号公報
【発明の概要】
【発明が解決しようとする課題】
【０００５】
携帯式収納具においては、机の上、棚の上、携帯時のカバンの中などでかさばらず、使用時はペン等の選択出し入れが容易で、簡単に素早く蓋を開閉することが可能であり、携帯時はペン等を外力から守ることが求められる。
しかし、特許文献１のような実施例に蓋をするには、放射状に広がったペン等を手で細く束ねながら慎重に蓋をする必要があり非常に面倒で、また外した蓋は邪魔になる。
また、布素材を利用した携帯式収納具では、外力による収容部の変形を防ぐのが困難であり、ペン等が破損する危険性が高くなる。
また、二枚貝のように開く携帯式収納具やロール状の布を広げるように開く携帯式収納具では、開いた際に机の上のスペースを広く使い邪魔である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る携帯式収納具は、例えば図１から４の組み、図３、５及び６の組み、図７から１０の組み、のいずれかの組みのように、
長さ方向におよそ沿う挿入口１を備える円筒棒状の収容部２と、
円筒棒状の収容部２の外周３に対して内周４が嵌合して相対回動可能であり、長さ方向におよそ沿う挿入口５を備える筒状の蓋部６と、
を具備し、
挿入口１及び５が重なり被収容物を収容部２内に挿入可能な例えば図１、５、７のいずれかのような第１状態と、
前記第１状態から収容部２中心に蓋部６を相対回動させ蓋部６によって挿入口１に蓋をした例えば図２、８のいずれかのような第２状態と、
を有し、
前記第１状態から前記第２状態に移行する途中で挿入口１の開口縁７及び挿入口５の開口縁８の対向するおよそ全長においてなす角を有することを特徴とする、携帯式収納具である。
【０００８】
発明２に係る携帯式収納具は、例えば図１から４の組み、図３、５及び６の組み、図７から１０の組み、のいずれかの組みのように、
長さ方向におよそ沿う挿入口１を備える円筒棒状の収容部２と、
円筒棒状の収容部２の外周３に対して内周４が嵌合して相対回動可能であり、長さ方向におよそ沿う挿入口５を備える筒状の蓋部６と、
を具備し、
挿入口１及び５が重なり被収容物を収容部２内に挿入可能な例えば図１、５、７のいずれかのような第１状態と、
前記第１状態から収容部２中心に蓋部６を相対回動させ蓋部６によって挿入口１に蓋をした例えば図２、８のいずれかのような第２状態と、
を有し、
例えば図１から４の組み、図３、５及び６の組み、のいずれかの組みのように、蓋部６の弾性による付勢力によって蓋部６の内周４が収容部２の外周３を挟持する、
例えば図７から１０の組みのように、蓋部６の内周４及び収容部２の外周３の嵌合部はテーパー状である、
の少なくとも一方を特徴とする、携帯式収納具である。
【発明の効果】
【０００９】
以上のように本発明では、ペン等の被収容物を出し入れ可能な第１状態と、挿入口１に蓋がされた第２状態で、全体の大きさがほとんど変わらず、机の上、棚の上、カバンの中などでかさばらず、第１状態では挿入口１が十分に開くのでペン等の選択出し入れが容易で且つ蓋部６が外れないので邪魔にならず、第１状態から第２状態に移る際には挿入口１が徐々に閉じていくのでペン等を挟み込んでしまう可能性が低く簡単に素早く蓋を開閉することが可能であり、収容部２の剛性を比較的高くして外力からペン等を守る、というような設計が容易となる。
【００１０】
また発明１では、本発明の効果に加えて、第１状態から第２状態に移る際に、十分に長く開口し剛性が不足した挿入口５の開口縁８が操作時の握力などで挿入口１に入り込むような変形が起きたとしても開口縁７と開口縁８が交差する部分で開口縁８を押し出すように作用しスムーズに操作が完了する、というような設計が容易となる。
【００１１】
また発明２では、本発明の効果に加えて、蓋部６の弾性による付勢力、蓋部６の内周４及び収容部２の外周３によるテーパー嵌合、の少なくとも一方の効果によって蓋部６が挿入口１を隙間無く閉じるような設計が容易となる。
【図面の簡単な説明】
【００１２】
【図１】第１実施形態の第１状態を第三角法で表した図
【図２】第１実施形態の第２状態を第三角法で表した図
【図３】第１、第２実施形態の収容部２を第三角法で表した図
【図４】第１実施形態の蓋部６を第三角法で表した図
【図５】第２実施形態の第１状態を第三角法で表した図
【図６】第２実施形態の蓋部６を第三角法で表した図
【図７】第３実施形態の第１状態を第三角法で表した図
【図８】第３実施形態の第２状態を第三角法で表した図
【図９】第３実施形態の収容部２を第三角法で表した図
【図１０】第３実施形態の蓋部６を第三角法で表した図
【発明を実施するための形態】
【００１３】
本発明の第１実施形態を図１から４に基づいて説明する。
【００１４】
図３の収容部２は樹脂成形された円筒棒状で、一端部は閉口端１１であり円形フランジと外周３の輪状部１３が備えられ、他端部も閉口端１２であり四角形フランジと外周３の輪状部１４が備えられ、挿入口１は円筒棒状の収容部２の長さ方向に沿うようにおよそ全長において長方形に開口しており、長辺である開口縁７及び９はいずれも円筒棒状の収容部２の中心軸に対して平行となっている。
図４の蓋部６は樹脂成形された円筒棒状で、両端は開口端であり、挿入口５は円筒棒状の蓋部６の長さ方向に対してなす角１０度程で全長において開口しており、また内周４は外周３の直径よりもわずかに小さく成形されている。
蓋部６素材の弾性を利用して挿入口５の開口縁８及び１０の距離を広げ、収容部２の閉口端１１を先頭に差し入れることで組み立てられ、内周４が外周３の直径よりもわずかに小さいことから蓋部６素材の弾性による付勢力が働く。
図１の第１状態では開口縁８の一端部が輪状部１３に接しており、この状態から開口縁７及び８が近づく方向に収容部２及び蓋部６を付勢力による摩擦力に逆らって相対回動させていくと開口縁８の一端部から他端部に向かって連続的になす角１０度程で開口縁７及び８が交差し、１８０度相対回動させると図２の第２状態になる。この状態では挿入口１及び５の重なりは無くなって挿入口１が蓋部６に完全に蓋をされた状態となっている。
また、円形フランジの接地部１５及び四角形フランジの接地部１６を机等の水平面に接地させることで安定する。またフランジを底にして棚等の水平面に立てても安定して省スペースとなる。
また、収容部２はペン以外にも筆、箸、線香、テンプルを畳んだメガネ、等の棒状の被収容物を収容するのに適している。
【００１５】
本発明の第２実施形態は第１実施形態と共通する部分が多いので、主に違いについて図５及び６に基づいて説明する。
【００１６】
図６の蓋部６の挿入口５は円筒棒状の蓋部６の長さ方向に沿って全長において開口している。
図５の第１状態では開口縁８の一端部が輪状部１３に接しており、この状態から開口縁７及び８が近づく方向に収容部２及び蓋部６を付勢力による摩擦力に逆らって相対回動させていくと開口縁８の一端部から中央部に向かって連続的になす角１０度程で開口縁７及び８が交差し、中央部を通る際になす角０度となり再びなす角１０度程に戻り他端部まで連続的に交差し、１８０度相対回動させると第２状態になる。
【００１７】
本発明の第３実施形態を図７から１０に基づいて説明する。
【００１８】
図９の収容部２は樹脂成形された円筒棒状で、一端部は閉口端１１であり外周３の輪状部１３が備えられ、他端部も閉口端１２であり円形フランジと外周３の輪状部１４が備えられ、外周３は閉口端１１に向かって細くなる３度程のテーパー角度を有しており、挿入口１は円筒棒状の収容部２の長さ方向に沿うようにおよそ全長において長方形に開口しており、長辺である開口縁７及び９は外周３と同様のテーパー角度を有している。
図１０の蓋部６は樹脂成形された円筒棒状で、一端部は閉口端１７であり、他端部は開口端となっている。挿入口５は円筒棒状の蓋部６の長さ方向に対してなす角１５度程で全長の半分以上において開口しており、また内周４は外周３と同様のテーパー角度を有している。
蓋部６の内周４及び収容部２の外周３をテーパー嵌合させることで図７のように組み立てられる。
図７の第１状態から開口縁７及び８が近づく方向に収容部２及び蓋部６をテーパー嵌合による摩擦力に逆らって相対回動させていくと開口縁８の一端部から他端部に向かって連続的になす角１５度程で開口縁７及び８が交差し、１８０度相対回動させると図８の第２状態になる。この状態では挿入口１及び５の重なりは無くなって挿入口１が蓋部６に完全に蓋をされた状態となっている。
また、蓋部６の一端部の外周の接地部１５及び収容部２の円形フランジに設けられた２個の突起状の接地部１６を机等の水平面に接地させることで安定する。また円形フランジを底にして棚等の水平面に立てても安定して省スペースとなるし、ペン立てのように使用することもできる。
また、収容部２はペン以外にも筆、箸、線香、テンプルを畳んだメガネ、等の棒状の被収容物を収容するのに適している。
【００１９】
また本発明の第３実施形態において、挿入口５を蓋部６の開口端まで延長することで、蓋部６の弾性による付勢力を積極的に利用することができるだろう。
【符号の説明】
【００２０】
１,５.                                 挿入口
２.                                      収容部
３.                                      外周
４.                                      内周
６.                                      蓋部
７,８,９,１０.                   開口縁
１１,１２,１７.                閉口端
１３,１４.                         輪状部
１５,１６.                         接地部
【図１】
2017209460.tif 000003
【図２】
2017209460.tif 000004
【図３】
2017209460.tif 000005
【図４】
2017209460.tif 000006
【図５】
2017209460.tif 000007
【図６】
2017209460.tif 000008
【図７】
2017209460.tif 000009
【図８】
2017209460.tif 000010
【図９】
2017209460.tif 000011
【図１０】
2017209460.tif 000012
【手続補正書】
【提出日】平成29年9月2日(2017.9.2)
【手続補正１】
【補正対象書類名】特許請求の範囲
【補正対象項目名】全文
【補正方法】変更
【補正の内容】
【特許請求の範囲】
【請求項１】
長さ方向におよそ沿う第１開口縁を長手方向に備え外周から内部に開口する第１挿入口を備える円筒棒状の収容部と、
前記円筒棒状の収容部の前記外周に対して内周が嵌合して相対回動可能であり、長さ方向におよそ沿う第２開口縁を長手方向に備え外周から内部に開口する第２挿入口を備える筒状の蓋部と、
を具備し、
前記第１挿入口及び前記第２挿入口が重なり被収容物を前記収容部内に挿入可能な第１状態と、
前記第１状態から前記収容部中心に前記蓋部を相対回動させ前記蓋部によって前記第１挿入口に蓋をした第２状態と、
を有し、
前記第１状態から前記第２状態に移行する途中で前記第１開口縁及び前記第２開口縁が対向するおよそ全長において交差し閉じていくことを特徴とする、携帯式収納具。
【手続補正２】
【補正対象書類名】明細書
【補正対象項目名】全文
【補正方法】変更
【補正の内容】
【発明の詳細な説明】
【技術分野】
【０００１】
本発明は、携帯式収納具に関する。
【背景技術】
【０００２】
携帯式収納具においては、特許文献１の実施例のようなペン等の被収容物を円筒棒状収容部の一端部の挿入口から出し入れ可能なペン立てに対して、一端部が閉じた円筒棒状で内周に収容部を隙間嵌合可能な蓋でペン等を覆う製品が知られている。
【０００３】
また、携帯式収納具においては、布素材を縫製して成る円筒棒状の収容部の長さ方向に沿うファスナーによって挿入口を開閉可能な製品、鉄板や樹脂素材を成形して箱状でヒンジによって二枚貝のように開閉可能な製品、布素材を長方形に裁断して片面にペン等のホルダーを複数設け布全体をロール状に巻いて収容する製品、がよく知られている。
【先行技術文献】
【特許文献】
【０００４】
【特許文献１】実登３０２５９８７号公報
【発明の概要】
【発明が解決しようとする課題】
【０００５】
携帯式収納具においては、机の上、棚の上、携帯時のカバンの中などでかさばらず、使用時はペン等の選択出し入れが容易で、簡単に素早く蓋を開閉することが可能であり、携帯時はペン等を外力から守ることが求められる。
しかし、特許文献１のような実施例に蓋をするには、放射状に広がったペン等を手で細く束ねながら慎重に蓋をする必要があり非常に面倒で、また外した蓋は邪魔になる。
また、布素材を利用した携帯式収納具では、外力による収容部の変形を防ぐのが困難であり、ペン等が破損する危険性が高くなる。
また、二枚貝のように開く携帯式収納具やロール状の布を広げるように開く携帯式収納具では、開いた際に机の上のスペースを広く使い邪魔である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る携帯式収納具は、例えば図１から４の組み、図３、５及び６の組み、図７から１０の組み、のいずれかの組みのように、
長さ方向におよそ沿う開口縁７を長手方向に備え外周３から内部に開口する挿入口１を備える円筒棒状の収容部２と、
円筒棒状の収容部２の外周３に対して内周４が嵌合して相対回動可能であり、長さ方向におよそ沿う開口縁８を長手方向に備え外周から内部に開口する挿入口５を備える筒状の蓋部６と、
を具備し、
挿入口１及び５が重なり被収容物を収容部２内に挿入可能な例えば図１、５、７のいずれかのような第１状態と、
前記第１状態から収容部２中心に蓋部６を相対回動させ蓋部６によって挿入口１に蓋をした例えば図２、８のいずれかのような第２状態と、
を有し、
前記第１状態から前記第２状態に移行する途中で開口縁７及び開口縁８が対向するおよそ全長において交差し閉じていくことを特徴とする、携帯式収納具である。
【発明の効果】
【０００８】
以上のように本発明では、ペン等の被収容物を出し入れ可能な第１状態と、挿入口１に蓋がされた第２状態で、全体の大きさがほとんど変わらず、机の上、棚の上、カバンの中などでかさばらず、第１状態では挿入口１が十分に開くのでペン等の選択出し入れが容易で且つ蓋部６が外れないので邪魔にならず、第１状態から第２状態に移る際には挿入口１が徐々に閉じていくのでペン等を挟み込んでしまう可能性が低く簡単に素早く蓋を開閉することが可能であり、収容部２の剛性を比較的高くして外力からペン等を守る、というような設計が容易となる。
【０００９】
また発明１では、本発明の効果に加えて、第１状態から第２状態に移る際に、十分に長く開口し剛性が不足した挿入口５の開口縁８が操作時の握力などで挿入口１に入り込むような変形が起きたとしても開口縁７と開口縁８が交差する部分で開口縁８を押し出すように作用しスムーズに操作が完了する、というような設計が容易となる。
【図面の簡単な説明】
【００１０】
【図１】第１実施形態の第１状態を第三角法で表した図
【図２】第１実施形態の第２状態を第三角法で表した図
【図３】第１、第２実施形態の収容部２を第三角法で表した図
【図４】第１実施形態の蓋部６を第三角法で表した図
【図５】第２実施形態の第１状態を第三角法で表した図
【図６】第２実施形態の蓋部６を第三角法で表した図
【図７】第３実施形態の第１状態を第三角法で表した図
【図８】第３実施形態の第２状態を第三角法で表した図
【図９】第３実施形態の収容部２を第三角法で表した図
【図１０】第３実施形態の蓋部６を第三角法で表した図
【発明を実施するための形態】
【００１１】
本発明の第１実施形態を図１から４に基づいて説明する。
【００１２】
図３の収容部２は樹脂成形された円筒棒状で、一端部は閉口端１１であり円形フランジと外周３の輪状部１３が備えられ、他端部も閉口端１２であり四角形フランジと外周３の輪状部１４が備えられ、挿入口１は円筒棒状の収容部２の長さ方向に沿うようにおよそ全長において長方形に開口しており、長辺である開口縁７及び９はいずれも円筒棒状の収容部２の中心軸に対して平行となっている。
図４の蓋部６は樹脂成形された円筒棒状で、両端は開口端であり、挿入口５は円筒棒状の蓋部６の長さ方向に対してなす角１０度程で全長において開口しており、また内周４は外周３の直径よりもわずかに小さく成形されている。
蓋部６素材の弾性を利用して挿入口５の開口縁８及び１０の距離を広げ、収容部２の閉口端１１を先頭に差し入れることで組み立てられ、内周４が外周３の直径よりもわずかに小さいことから蓋部６素材の弾性による付勢力が働く。
図１の第１状態では開口縁８の一端部が輪状部１３に接しており、この状態から開口縁７及び８が近づく方向に収容部２及び蓋部６を付勢力による摩擦力に逆らって相対回動させていくと開口縁８の一端部から他端部に向かって連続的になす角１０度程で開口縁７及び８が交差し、１８０度相対回動させると図２の第２状態になる。この状態では挿入口１及び５の重なりは無くなって挿入口１が蓋部６に完全に蓋をされた状態となっている。
また、円形フランジの接地部１５及び四角形フランジの接地部１６を机等の水平面に接地させることで安定する。またフランジを底にして棚等の水平面に立てても安定して省スペースとなる。
また、収容部２はペン以外にも筆、箸、線香、テンプルを畳んだメガネ、等の棒状の被収容物を収容するのに適している。
【００１３】
本発明の第２実施形態は第１実施形態と共通する部分が多いので、主に違いについて図５及び６に基づいて説明する。
【００１４】
図６の蓋部６の挿入口５は円筒棒状の蓋部６の長さ方向に沿って全長において開口している。
図５の第１状態では開口縁８の一端部が輪状部１３に接しており、この状態から開口縁７及び８が近づく方向に収容部２及び蓋部６を付勢力による摩擦力に逆らって相対回動させていくと開口縁８の一端部から中央部に向かって連続的になす角１０度程で開口縁７及び８が交差し、中央部を通る際になす角０度となり再びなす角１０度程に戻り他端部まで連続的に交差し、１８０度相対回動させると第２状態になる。
【００１５】
本発明の第３実施形態を図７から１０に基づいて説明する。
【００１６】
図９の収容部２は樹脂成形された円筒棒状で、一端部は閉口端１１であり外周３の輪状部１３が備えられ、他端部も閉口端１２であり円形フランジと外周３の輪状部１４が備えられ、外周３は閉口端１１に向かって細くなる３度程のテーパー角度を有しており、挿入口１は円筒棒状の収容部２の長さ方向に沿うようにおよそ全長において長方形に開口しており、長辺である開口縁７及び９は外周３と同様のテーパー角度を有している。
図１０の蓋部６は樹脂成形された円筒棒状で、一端部は閉口端１７であり、他端部は開口端となっている。挿入口５は円筒棒状の蓋部６の長さ方向に対してなす角１５度程で全長の半分以上において開口しており、また内周４は外周３と同様のテーパー角度を有している。
蓋部６の内周４及び収容部２の外周３をテーパー嵌合させることで図７のように組み立てられる。
図７の第１状態から開口縁７及び８が近づく方向に収容部２及び蓋部６をテーパー嵌合による摩擦力に逆らって相対回動させていくと開口縁８の一端部から他端部に向かって連続的になす角１５度程で開口縁７及び８が交差し、１８０度相対回動させると図８の第２状態になる。この状態では挿入口１及び５の重なりは無くなって挿入口１が蓋部６に完全に蓋をされた状態となっている。
また、蓋部６の一端部の外周の接地部１５及び収容部２の円形フランジに設けられた２個の突起状の接地部１６を机等の水平面に接地させることで安定する。また円形フランジを底にして棚等の水平面に立てても安定して省スペースとなるし、ペン立てのように使用することもできる。
また、収容部２はペン以外にも筆、箸、線香、テンプルを畳んだメガネ、等の棒状の被収容物を収容するのに適している。
【００１７】
また本発明の第３実施形態において、挿入口５を蓋部６の開口端まで延長することで、蓋部６の弾性による付勢力を積極的に利用することができるだろう。
【符号の説明】
【００１８】
１,５.                                挿入口
２.                                     収容部
３.                                     外周
４.                                     内周
６.                                     蓋部
７,８,９,１０.                       開口縁
１１,１２,１７.                   閉口端
１３,１４.                            輪状部
１５,１６.                            接地部